(57)【特許請求の範囲】
【請求項１】
ブルートゥースビーコン通信を利用するデジタルドアロックシステムであって、
ブルートゥースビーコン通信信号を送信し、ユーザ端末の近接とキーパッドのタッチまたは押しのうち少なくとも一つを認識するとブルートゥースの連結周期を減少し、前記ユーザ端末と無線接続されて開閉動作が制御されるドアロックと、
前記ユーザ端末に設置され、前記ブルートゥースビーコン通信信号が受信されると前記ドアロックの制御が可能な状態になり、前記ユーザ端末を介して前記ドアロックと無線接続されると前記ドアロックの開閉動作を制御するユーザアプリケーションと、
ユーザ認証を介して前記ユーザアプリケーションに前記ドアロックの開閉動作を制御するためのパスワードを提供する管理サーバと、を備え、
前記管理サーバは、
前記ユーザアプリケーションを介してユーザ認証が完了されると互いに異なる座標情報を有する多数のパスワードを含むユーザコードブックを提供する
ことを特徴とするデジタルドアロックシステム。
【請求項２】
前記ドアロックは、
タッチまたはボタン方式で形成された前記キーパッドと、
前記ブルートゥースビーコン通信信号を送信し、前記ユーザ端末と無線接続されて前記ユーザアプリケーションと通信するブルートゥースビーコンモジュールと、
前記ブルートゥースビーコンモジュールを介して前記ユーザアプリケーションにパスワードを要請し、前記ユーザアプリケーションから受信されるパスワードに応じてドアを開閉する開閉制御モジュールと、
前記ドアロックの前方に位置する前記ユーザ端末の金属部分を認識して前記ユーザ端末の近接を感知する近接センサと、
前記キーパッドのタッチまたは押しを感知するタッチまたは圧力センサと、を備える
請求項１に記載のデジタルドアロックシステム。
【請求項３】
前記ブルートゥースビーコンモジュールは、
前記近接センサと前記タッチまたは圧力センサによって前記ユーザ端末の近接と前記キーパッドのタッチまたは押しのうち少なくとも一つが認識されると、ブルートゥース連結信号の送信周期を減少し、
前記ユーザアプリケーションによる前記ドアロックの制御が完了されるとブルートゥースの連結を解除する
請求項２に記載のデジタルドアロックシステム。
【請求項４】
前記ユーザアプリケーションは、
前記ドアロックから前記ブルートゥースビーコン通信信号を受信すると前記ユーザ端末のバックグラウンドから前記ドアロックを制御し得るように動作する
請求項１に記載のデジタルドアロックシステム。
【請求項５】
前記ドアロックは、予め貯蔵された管理者コードブックに基づいて任意の座標に与えられた多数のパスワードまたは任意の座標に当たる各パスワードから特定順の値で組み合わせられたパスワードを前記ユーザ端末に同時に要請し、
前記ユーザアプリケーションは、前記ユーザコードブックに基づいて前記ドアロックの要請に応答し、
前記ドアロックは、前記ユーザアプリケーションから受信された応答情報を前記管理者コードブックに基づいて確認し、前記応答情報に対する一致可否に応じて動作する
請求項１に記載のデジタルドアロックシステム。
【発明の詳細な説明】
【技術分野】
【０００１】
本発明の実施例は、デジタルドアロックシステムに関するものである。
【背景技術】
【０００２】
スマートフォンユーザの割合が増加するにつれ、従来使用していたドアロックをより便利で安全に使用し得るように、通信機能が追加されたドアロックシステムが商用化されている。
このような通信機能を有するドアロックは、個人住宅や宿泊施設などのドアに設置されて、近距離無線通信を介してユーザの形態端末からドアロックにパスワード情報を伝送し、ドアの開閉を制御する。現在、一般的に使用されているスマートフォンはほとんどブルートゥース（（Ｂｌｕｅｔｏｏｔｈ（登録商標））機能を支援するため、ドアロックとスマートフォンとの直接通信を介してドアロックをより便利に利用することができる。
【０００３】
しかし、ブルートゥース通信時に予想される通信が切れる現象のため、スマートフォンを利用してブルートゥースドアロックを制御する際に約５秒以上の遅延現象が発生する恐れがある。このような状況はユーザがブルートゥースドアロックを使用するに当たって安全性を疑わせる要素として作用する。
また、ブルートゥース用ドアロックアプリケーションを利用してドアロックを制御する際、該当アプリケーションがスマートフォン上で自動的に活性化されても、ドアロックの近接距離でドアロックを制御しなければならない不便さがある。
【先行技術文献】
【特許文献】
【０００４】
【特許文献１】韓国登録特許第１０−１５８９９５５号（２０１６．０１．２５．）「ビーコンを利用したドアロック制御システム及びその実行方法」
【発明の概要】
【発明が解決しようとする課題】
【０００５】
本発明の実施例は、近距離無線通信を利用してドアロックを制御する際に発生する遅延を最小化し、アプリケーションが活性化されていない状態でもドアロックを制御することで使用の便宜性を安定性を増大することができるデジタルドアロックシステムを提供する。
【課題を解決するための手段】
【０００６】
本実施例によるデジタルドアロックシステムは、アイビーコン信号を送信し、ユーザ端末の近接とキーパッドのタッチまたは押しのうち少なくとも一つを認識するとブルートゥースの連結周期を減少し、前記ユーザ端末と無線接続されて開閉動作が制御されるドアロックと、前記ユーザ端末に設置され、前記アイビーコン信号が受信されると前記ドアロックの制御が可能な状態になり、前記ユーザ端末を介して前記ドアロックと無線接続されると前記ドアロックの開閉動作を制御するユーザアプリケーションと、ユーザ認証を介して前記ユーザアプリケーションに前記ドアロックの開閉動作を制御するためのパスワードを提供する管理サーバと、を含む。
【０００７】
また、前記ドアロックは、タッチまたはボタン方式で形成された前記キーパッドと、前記アイビーコン信号を送信し、前記ユーザ端末と無線接続されて前記ユーザアプリケーションと通信するブルートゥースビーコンモジュールと、前記ブルートゥースビーコンモジュールを介して前記ユーザアプリケーションにパスワードを要請し、前記ユーザアプリケーションから受信されるパスワードに応じてドアを開閉する開閉制御モジュールと、前記ドアロックの前方に位置する前記ユーザ端末の金属部分を認識して前記ユーザ端末の近接を感知する近接センサと、前記キーパッドのタッチまたは押しを感知するタッチまたは圧力センサと、を含む。
【０００８】
また、前記ブルートゥースビーコンモジュールは、前記近接センサと前記タッチまたは圧力センサによって前記ユーザ端末の近接と前記キーパッドのタッチまたは押しのうち少なくとも一つが認識されると、ブルートゥース連結信号の送信周期を減少し、前記ユーザアプリケーションによる前記ドアロックの制御が完了されるとブルートゥースの連結を解除する。
【０００９】
また、前記ユーザアプリケーションは、前記ドアロックから前記アイビーコン信号を受信すると前記ユーザ端末のバックグラウンドから前記ドアロックを制御し得るように動作する。
【００１０】
また、前記管理サーバは、前記ユーザアプリケーションを介してユーザ認証が完了されると互いに異なる座標情報を有する多数のパスワードを含む。
また、前記ドアロックは、予め貯蔵された管理者コードブックに基づいて任意の座標に与えられた多数のパスワードまたは任意の座標に当たる各パスワードから特定順の値で組み合わせられたパスワードを前記ユーザ端末に同時に要請し、前記ユーザアプリケーションは、前記ユーザコードブックに基づいて前記ドアロックの要請に応答し、前記ドアロックは、前記ユーザアプリケーションから受信された応答情報を前記管理者コードブックに基づいて確認し、前記応答情報に対する一致可否に応じて動作する。
【発明の効果】
【００１１】
本発明の実施例によると、近距離無線通信を利用したドアロック制御の際に発生する遅延を最小化し、アプリケーションが活性化されていない状態でもドアロックを制御することで使用の便宜性と安定性を増大することができるデジタルドアロックシステムを提供する。
【図面の簡単な説明】
【００１２】
【図１】本発明の実施例によるデジタルドアロックシステムの全体構造を示す説明図
【図２】本発明の実施例によるデジタルドアロックシステムの全体構成を示すブロック図
【図３】本発明の実施例によるデジタルドアロックシステムの動作方式を説明する説明図
【図４】本発明の実施例によるデジタルドアロックの動作順番の説明図
【図５】本発明の実施例によるユーザアプリケーションの動作状況の説明図
【発明を実施するための形態】
【００１３】
本明細書で使用される用語について簡単に説明し、本発明について具体的に説明する。
本明細書で使用される用語は、本発明における機能を考慮し、できるだけ現在広く使用されている一般的な用語を選択したが、これは該当分野に携わる技術者の意図または慣例、新たな技術の出現などによって異なり得る。また、特定の場合には出願人が任意に選定した用語もあるが、この場合は該当する発明の説明部分でその意味を詳細に記載する。よって、本発明で使用される用語は単純な用語の名称ではなく、その用語が有する意味と本発明の全般にわたる内容に基づいて定義される。
明細書全体において、ある部分がある構成要素を「含む」とする際、これは特に反対する記載がない限り、他の構成要素を除外するのではなく他の構成要素を更に含むことを意味する。また、明細書に記載された「○○部」、「モジュール」などの用語は少なくとも一つの機能や動作を処理する単位を意味するが、これはハードウェアまたはソフトウェアで具現されるか、ハードウェアとソフトウェアの結合で具現される。
以下では添付した図面を参照して本発明の実施例について本発明が属する技術分野における通常の知識を有する者が容易に実施し得るように詳細に説明する。しかし、本発明は様々な相異なる形態に具現されてもよく、ここで説明する実施例に限ることはない。そして、図面において本発明を明確に説明するために説明と関係のない部分は省略しており、明細書全体にわたって類似した部分に対しては類似した図面符号を付けている。
【００１４】
図１は本発明の実施例によるデジタルドアロックシステムの全体構造を示す図であり、図２は本発明の実施例によるデジタルドアロックシステムの全体構成を示すブロック図である。
図１及び図２を参照すると、本発明の実施例によるデジタルドアロックシステム１０００は、ドアロック１００、ユーザアプリケーション２００及び管理サーバ３００を含む。
【００１５】
前記ドアロック１００は、アイビーコン信号（ｉＢｅａｃｏｎ  Ｓｉｇｎａｌ）を送信し、ユーザ端末２０の近接とキーパッド１１０のタッチまたは押しのうち少なくとも一つを認識すると、ブルートゥース連結可能な状態になってユーザ端末２０とのブルートゥース連結周期を減少させ、ユーザ端末２０と無線接続されて開閉動作が制御される。このために、前記ドアロック１００はキーパッド１１０、ブルートゥースビーコンモジュール１２０、開閉制御モジュール１３０、近接センサ１４０及びタッチ／圧力センサ１５０を含む。
前記キーパッド１１０はドアロック１００の前方に設置されるが、ユーザからパスワードを手動で入力されるための手段として数字及び記号が表示されたタッチスクリーンまたはボタンで形成され、タッチ／圧力センサ１５０と連結される。
前記ブルートゥースビーコンモジュール１２０はアイビーコン信号を外部に送信し、ブルートゥース（例えば４．０ＢＬＥ）を介してユーザ端末２０と無線接続されてドアロック１００を制御するための通信を行う。例えば、ブルートゥースビーコンモジュール１２０はブルートゥースの連結範囲内でユーザ端末２０と連結（Ｃｏｎｎｅｃｔｉｎｇ）され、ユーザアプリケーション２００でドアロック１００を制御するためのパスワード要請信号を送信し、これに対する応答としてユーザアプリケーション２００からパスワード応答情報を受信する。ブルートゥースビーコンモジュール１２０は第３者のハッキングを防止するためにパスワード要請信号をＡＥＳ−１２８以上の暗号化過程を経てからユーザ端末２０に送信する。
【００１６】
前記パスワード要請信号はドアロック１００に予め貯蔵されている管理者コードブックに基づいた任意の座標情報を含み、パスワード応答情報は受信された要請信号の座標値に当たるパスワード値を含む。ここで、応答情報に含まれたパスワード値はユーザアプリケーション２００に貯蔵されているユーザコードブックに基づいて得られる。
本実施例において、コードブックは、相異なる座標値を有する相異なる多数のパスワードを含む。例えば、座標値が００〜９９までで形成された場合、各座標値には相異なるパスワード値が割り当てられることで１００個の相異なるパスワードを含む。
前記コードブックはドアロック１００に貯蔵される管理者コードブックとユーザアプリケーション２００に貯蔵されるユーザコードブックとで区分されるが、管理者コードブックとユーザコードブックは互いに同じ座標情報とパスワード情報を含む。管理者コードブックはドアロック１００の初期化課程で貯蔵され、ユーザコードブックは管理サーバ３００を介してユーザ認証が完了されると、認証済みのユーザ端末２０に伝送される。
前記開閉制御モジュール１３０はユーザアプリケーション２００から受信された応答情報を管理者コードブックに基づいて確認し、応答情報に対する一致可否に応じて開閉動作を行う。このために、開閉制御モジュール１３０はソフトウェア手段とハードウェア手段で形成される。
【００１７】
前記ソフトウェア手段は管理者コードブックに基づいてユーザ端末２００に送信するパスワード要請信号を生成し、ユーザアプリケーション２００から受信された応答情報を管理者コードブックに基づいて要請した座標値に当たるパスワード値を受信したのかを確認する。例えば、「［１０］、［２５］、［９４］、［５５］、［３７］」の座標値でパスワード要請信号を伝送し、「［１５４１３２４８］、［５１５６２４８６５４］、［９５４８７２６４１７］、［０１６３７２８９０］、［１５６４７８１４５８］」のパスワード値を受信したなら、管理者コードブックから「［１０］、［２５］、［９４］、［５５］、［３７］」の座標値に当たるパスワード値と、「［１５４１３２４８］、［５１５６２４８６５４］、［９５４８７２６４１７］、［０１６３７２８９０］、［１５６４７８１４５８］」を比べて一致するのか否かを確認して、一致すれば正確なキー値が入力されたと判断し、そうでなければブルートゥースビーコンモジュール１２０を介して入力値エラー信号を生成及び出力するようにする。
また、前記ソフトウェア手段は管理者コードブックの任意の座標値に当たる各パスワードから特定順の値で組み合わせられたパスワードを要請する。例えば、「［１０］、［２５］、［９４］、［５５］、［３７］」の座標値で要請信号を生成する場合、座標［１０］のパスワードから第１値、座標［２５］のパスワードから第２値、座標［９４］のパスワードから第３値、座標［５５］のパスワードから第４値、座標［３７］のパスワードから第５値を組み合わせて一つのパスワードとして要請する。
【００１８】
また、ソフトウェア手段は前記のようなパスワード要請信号に対する応答信号を管理者コードブックに基づいて望みのパスワード値と一致するのかを確認し、望みのパスワードと一致すれば開閉信号を開閉制御モジュール１３０に伝送する。また、パスワードが一致しなければ、キーパッド１１０を発光表示または別途の音声出力手段を介してパスワードエラーであることをユーザに知らせるが、必要に応じてはブルートゥースビーコンモジュール１２０にユーザ端末２０との連結を解除することを指示する。
前記ハードウェア手段は、ソフトウェア手段の制御信号に応じてドアをロックするかアンロックする。例えば、ソフトウェア手段がユーザアプリケーション２００から受信されたパスワードが一致すると判断した場合、ソフトウェア手段からドアオープン信号を受信してドアのロックが解除されるように動作してもよい。また、ロック解除の後、一定時間が経過すればソフトウェア手段からドアクローズ信号を受信してドアがロックするように動作してもよい。
前記近接センサ１４０はドアロック１００の前方に位置したユーザ端末２０がドアロック１００に近接することを感知する。例えば、近接センサ１４０は前方の約１〜２ｃｍ内にユーザ端末２０の金属部分を感知することでユーザ端末２０の近接を感知する。一例として、近接センサ１４０は差動コイル型センサを含んでもよいが、本実施例ではこのようなセンサに近接センサ１４０を限定することはなく、ユーザ端末２０の金属部分を認識し得るセンサであれば近接センサ１４０として適用し得る。このような近接センサ１４０はユーザ端末２０の近接を感知すると、第１感知信号をブルートゥースビーコンモジュール１２０に伝送する。
前記タッチ／圧力センサ１５０はドアロック１００のキーパッド１１０と連結され、ユーザのキーバッド１１０のタッチまたは押しを感知する。このようなタッチ／圧力センサ１５０はキーパッド１１０のタッチまたは押しを感知すると、第２感知信号をブルートゥースビーコンモジュール１２０に伝送する。
【００１９】
一方、前記ブルートゥースビーコンモジュール１２０は近接センサ１４０の第１感知信号とタッチ／圧力センサ１５０の第２感知信号によって近接とタッチまたは押しのうち少なくとも一つを認識すると、ブルートゥースの連結周期を減少してドアロック１００に近接したユーザ端末２０とより速く連結される。例えば、ブルートゥースの連結周期が１秒に１回であれば最大１秒の遅延が必要であるが、ブルートゥースビーコンモジュール１２０はユーザ端末２０の近接とキーパッド１１０のタッチまたは押しのうち少なくとも一つを認識することで前記のような周期を約１００ｍｓに１回に減らし、それによって遅延が１００ｍｓに減るようになる。このように、ブルートゥースビーコンモジュール１２０はブルートゥース連結信号の送信周期を減らしてユーザ端末２０とより速く連結されるようにする。
前記ブルートゥースビーコンモジュール１２０はユーザアプリケーション２００によってドアロック１００の制御が完了されると、ユーザ端末２０とのブルートゥース連結を解除する。この際、ユーザ端末２０もドアロック１００との連結を解除する。
前記ユーザアプリケーション２００はユーザ端末２０に接地され、管理サーバ２００にユーザ認証を要請するが、ユーザ認証が完了されると管理サーバ３０からユーザコードブックを伝送される。また、ユーザアプリケーション２００はドアロック１００からアイビーコン信号を受信すると、ドアロック１００の制御が可能な状態になり、ユーザ端末２０を介してドアロック１００と無線接続されるとドアロック１００の開閉動作を自動的に制御する。このために、ユーザアプリケーション２００はユーザ予約／決済部２１０、ユーザ認証部２２０及びドアロック制御部２３０を含む。
【００２０】
前記ユーザ予約／決済部２１０は、デジタルドアロックシステム１０００が宿泊施設に適用されれば顧客の客室予約及び決済に関する要請を実行し、デジタルドアロックシステム１０００が個人住宅に適用されれば省略されてもよい。
前記ユーザ認証部２２０はデジタルドアロックシステム１０００のユーザに対する認証を要請するための手段であって、デジタルドアロックシステム１０００が宿泊施設に適用されれば予約認証を要請し、デジタルドアロックシステム１０００が個人住宅に適用されれば住宅の構成員（家族）がその対象となる。
前記ドアロック制御部２３０は、ユーザ認証部２２０を介して管理サーバ３００からユーザ認証（または予約者認証）が完了される場合、ユーザコードブックを受信して貯蔵する。
前記ドアロック制御部２３０はドアロック１００からアイビーコン信号を受信するとドアロック１００の制御が可能な状態になり、ドアロック１００と無線接続されるとユーザ端末２０のバックグラウンド（ｂａｃｋｇｒｏｕｎｄ）でドアロック１００の制御ができるように動作する。
前記ドアロック制御部２３０はドアロック１００からパスワード要請信号を受信すると、ユーザコードブックに基づいて要請によるパスワード応答情報を提供する。ここで、パスワード要請信号と応答情報に関する説明は、ドアロック１００の開閉制御モジュール１３０に対する構成の説明を介して説明したため省略する。
【００２１】
一方、本実施例によるユーザ端末２０はブルートゥースとアイビーコン機能が搭載された携帯機器であって、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（ｓｍａｒｔｐｈｏｎｅ）、スマートパッド（ｓｍａｒｔｐａｄ）、タブレットＰＣ（Ｔａｂｌｅｔ  ＰＣ）などのような全ての種類のハンドヘルド（Ｈａｎｄｈｅｌｄ）基盤の無線通信装置を含む。
【００２２】
前記管理サーバ３００はユーザ認証を介してユーザアプリケーション２００にドアロック１００の開閉動作を制御するためのパスワードを提供する。このために、管理サーバ３００は予約決済処理モジュール３１０、ユーザ認証処理モジュール３２０、データ生成モジュール３３０及びデータ通信モジュール３４０を含む。
前記予約決済処理モジュール３１０は、デジタルドアロックシステム１０００が宿泊施設に適用されればユーザアプリケーション２００の予約及び決済要請を処理するための手段であって、デジタルドアロックシステム１０００が個人住宅に適用されれば省略される。
前記ユーザ認証処理モジュール３２０は、ユーザアプリケーション２００から要請されたユーザ認証（または予約者認証）を予め貯蔵されたユーザ情報に基づいて処理する。
前記データ生成モジュール３３０は、ユーザ認証処理モジュール３２０を介してユーザ認証が完了された場合、ユーザ（または予約者）に提供されるユーザコードブックを生成する。ユーザコードブックに関する詳細な説明は上述したため省略する。
前記データ通信モジュール３４０は、ユーザ端末２０と無線インターネットを介して接続されてユーザ端末２０と通信する。
一方、本実施例によるデジタルドアロックシステムを宿泊施設に適用する場合には近接センサ１４０のみを適用することが好ましく、個人住宅、つまり住居施設に適用する場合にはタッチ／圧力センサ１５０を適用することが好ましい。
【００２３】
図３は本発明の実施例によるデジタルドアロックシステムの動作方式を説明する図であり、図４は本発明の実施例によるデジタルドアロックの動作順番を説明する図であり、図５は本発明の実施例によるユーザアプリケーションの動作状況を説明する図である。
以下、図３乃至図５を参照して、本発明のデジタルドアロックシステム１０００の動作について詳細に説明する。
図３に示したように、まず、ユーザがユーザ端末２０を所持した状態でドアロック１００から送り出されるアイビーコン信号を受信し得る範囲に進入する場合、（１）ドアロック１００は一定距離範囲にアイビーコン信号を送信し、（２）ユーザ端末２０はドアロック１００から送り出されるアイビーコン信号を受信する。（３）ユーザ端末３０はドアロック１００から送り出されるアイビーコン信号を受信すると、ドアロックの制御が可能な状態になる。
【００２４】
次に、（４）ユーザが移動し、（５−１、５−２）ユーザ端末２０がドアロック１００の前方に一定距離内に近接してユーザがキーパッド１１０をタッチ及び／または押すことを認識すると、（６）ドアロック１００はブルートゥース連結可能な状態に転換されながら、ブルートゥースの連結周期が減少するようにブルートゥース連結信号の送信周期を減らす。
このように、（７）ドアロック１００はブルートゥース連結周期を減らすことで、ユーザ端末２０とのブルートゥース連結の際に発生する遅延を最小化する。また、近接センサ１４０とタッチ／圧力センサ１５０を全て利用してユーザ端末２０がドアロック１００の前方に近接していることを二重チェックすることで、室内でドアロック１００が動作しないようにする。
次に、（８）ユーザ端末２０はユーザアプリケーション２００の活性化可否とは関係なくユーザアプリケーション２００を介してドアロック１００を制御することができる。より詳しくは、図５の（ａ）に示したようにユーザアプリケーション２００が活性化された状態でユーザ操作によってドアロック１００を制御することができ、図５（ｂ）に示したように端末２０のバックグラウンドで、つまりロックスクリーン（ｌｏｃｋ  ｓｃｒｅｅｎ）状態でもドアロック１００の制御が可能になるように動作する。
次に、（９−１、９−２）ドアロック１００の制御が完了されると、ドアロック１００とユーザ端末２０はブルートゥース連結をそれぞれ解除し、これを介して他の近接端末を認知する場合でもブルートゥース連結に対する安定的な性能を維持する。
【００２５】
図４はデジタルドアロックシステム１０００の動作順番をチャート方式で示したものであって、図３及び図５を介して説明した順番と同じであるため、これに関する詳細な説明は省略する。
本実施例によると、宿泊用及び住居用ドアロックに適用して、ブルートゥース基盤のドアロックユーザの不便さ及び不安を解決することができ、コードブックの共有によって多数のユーザ端末を介して一つのドアロックを安全に使用することができる。
また、ユーザアプリケーションを活性化することなく、ユーザ端末とドアロックが近接するだけで動作するため、ユーザの便宜性が向上される。
特に、宿泊施設に適用される場合、管理サーバからユーザ認証及びコードブックを受けることで、宿泊施設を利用する際にカウンターでの待機時間を節約することができる。
【００２６】
これまで説明したことは本発明によるデジタルドアロックシステムを実施するための一つの実施例に過ぎず、本発明が前記実施例に限ることはなく、以下の特許請求の範囲で請求するように本発明の要旨を逸脱することなく該当発明が属する分野における通常の知識を有する者であれば誰でも多様な変更実施が可能な範囲まで本発明の技術的思想がある。
【符号の説明】
【００２７】
１０００：デジタルドアロックシステム
１００：ドアロック
２００：ユーザアプリケーション
３００：管理サーバ
２０：ユーザ端末
【図１】
0006441982.tif 000002
【図２】
0006441982.tif 000003
【図３】
0006441982.tif 000004
【図４】
0006441982.tif 000005
【図５】
0006441982.tif 000006